(57)【要約】【課題】  遊技者は、遊技を重ねていくうちに、遊技内容がより多様で、また、遊技結果に遊技者の技量がより反映され易い、遊技に面白味がある遊技機を要求する傾向にあった。【解決手段】  メインＣＰＵ６４は、遊技状態が高確率再遊技中一般遊技状態であるか否かを判別し（ステップ５０１）、高確率再遊技中一般遊技状態でない場合には、「グループ役」が抽選されると、ストップボタン３１〜３３の操作タイミングに関わらず「ベルの小役」の入賞が必ず成立する停止テーブル、またはどの役の入賞も成立しない停止テーブルを選択する（ステップ５０３〜５０８）。遊技状態が高確率再遊技中一般遊技状態である場合に「グループ役」が抽選されると、所定のタイミングでストップボタン３１〜３３を操作した場合に限り「スイカの小役」の入賞を成立させられる停止テーブルが選択される（ステップ５０９）。【選択図】  図２０
2005102956.tif 000002
【特許請求の範囲】
【請求項１】
図柄を変動表示する変動表示手段と、この変動表示手段での図柄の変動表示の停止を要求する変動表示停止要求手段と、遊技状態を移行する遊技状態移行手段と、複数の内部当選役の中からいずれかの内部当選役を抽選する内部当選役抽選手段と、前記変動表示手段での図柄の変動表示を制御する変動表示制御手段とを備え、
前記内部当選役抽選手段は、前記内部当選役の所定の組合せからなるグループ役を抽選可能に構成され、
前記変動表示制御手段は、前記遊技状態移行手段による移行前または移行後の一方の遊技状態において、前記内部当選役抽選手段によって前記グループ役が抽選されると、前記変動表示停止要求手段からの停止要求のタイミングに関わらず、前記グループ役に含まれる特定の内部当選役に対応する図柄組合せを前記変動表示手段に停止表示し、これと異なる他方の遊技状態において前記内部当選役抽選手段によって前記グループ役が抽選されると、前記変動表示停止要求手段から所定のタイミングで停止要求がされた場合に限り、前記グループ役に含まれる前記特定の内部当選役と異なる他の内部当選役に対応する図柄組合せを前記変動表示手段に停止表示することを特徴とする遊技機。
【請求項２】
前記遊技状態移行手段による移行後または移行前の一方の遊技状態は、遊技媒体を賭けることなく再度単位遊技が行える再遊技内部当選役の抽選確率がこれと異なる他方の遊技状態に比べて高くなる高確率再遊技状態であることを特徴とする請求項１に記載の遊技機。
【請求項３】
前記遊技状態移行手段による移行前後の遊技状態で、少なくとも前記グループ役についての、遊技媒体の単位賭け数当たりの配当を示す期待値がほぼ等しいことを特徴とする請求項１または請求項２に記載の遊技機。
【発明の詳細な説明】
【技術分野】
【０００１】
本発明は、遊技状態が移行する遊技機に関するものである。
【背景技術】
【０００２】
従来、この種の遊技機としては、例えば、停止ボタンの操作に応じてリールの回転が停止するスロットマシン、いわゆるパチスロ機がある。一般的なパチスロ機では、前面パネルの背後に３個のリールが３列に並設されている。各リールの外周には種々の図柄が描かれており、前面パネルに形成された各窓を介してこれらの図柄が観察される。遊技は、遊技媒体であるメダルが賭けられた状態で遊技者がスタートレバーを操作すると開始する。スタートレバーが操作されるとリールが回転し、リール外周に描かれた図柄が各窓に変動表示される。このスタートレバーの操作時には、複数の内部当選役の中から抽選によって内部当選役が決定される。各リールに対応して設けられた停止ボタンが操作されるとリールの回転が停止し、各窓に図柄が停止表示される。停止表示された図柄の組合せが、決定された内部当選役に対応する組合せである場合には、内部当選役に応じた枚数のメダルが払い出される。
【０００３】
しかし、パチスロ機では、内部当選役が決定されても、所定のタイミングで停止ボタンを操作しなければ、その内部当選役に対応する図柄組合せを停止表示させることができない。このように、遊技の結果に遊技者の技量を反映させることによって、遊技に面白味が持たせられている。また、パチスロ機には、下記の特許文献１に示すように、一般遊技状態よりも再遊技に内部当選する確率が高いＲＴ（リプレイ・タイム）ゲームに遊技を移行させて、遊技内容を多様にし、遊技に面白味を持たせたものがある。再遊技の入賞が成立すると投入したメダルの枚数と同数のメダルが次回の遊技で自動投入されるので、ＲＴゲーム中には遊技者は少ないメダルの消費量で遊技を行うことができる。
【特許文献１】特開２００２−３１５８６７号公報（段落[００３９]〜[００５０]）
【発明の開示】
【発明が解決しようとする課題】
【０００４】
しかしながら、遊技者は、遊技を重ねていくうちに、遊技内容がより多様で、また、遊技結果に遊技者の技量がより反映され易い、遊技に面白味があるパチスロ機を要求する傾向にあった。
【課題を解決するための手段】
【０００５】
本発明はこのような課題を解決するためになされたもので、図柄を変動表示する変動表示手段と、この変動表示手段での図柄の変動表示の停止を要求する変動表示停止要求手段と、遊技状態を移行する遊技状態移行手段と、複数の内部当選役の中からいずれかの内部当選役を抽選する内部当選役抽選手段と、変動表示手段での図柄の変動表示を制御する変動表示制御手段とを備え、内部当選役抽選手段が、内部当選役の所定の組合せからなるグループ役を抽選可能に構成され、変動表示制御手段が、前記遊技状態移行手段による移行前または移行後の一方の遊技状態において、内部当選役抽選手段によってグループ役が抽選されると、変動表示停止要求手段からの停止要求のタイミングに関わらず、グループ役に含まれる特定の内部当選役に対応する図柄組合せを変動表示手段に停止表示し、これと異なる他方の遊技状態において内部当選役抽選手段によってグループ役が抽選されると、変動表示停止要求手段から所定のタイミングで停止要求がされた場合に限り、グループ役に含まれる前記特定の内部当選役と異なる他の内部当選役に対応する図柄組合せを変動表示手段に停止表示することを特徴とする。
【０００６】
この構成によれば、移行前または移行後の一方の遊技状態においてグループ役が抽選されると、変動表示停止要求手段からの停止要求のタイミングに関わらず、グループ役に含まれる特定の内部当選役に対応する図柄組合せが変動表示手段に停止表示する。一方、これと異なる他方の遊技状態においてグループ役が抽選されると、変動表示停止要求手段から所定のタイミングで停止要求がされた場合に限り、グループ役に含まれる特定の内部当選役と異なる他の内部当選役に対応する図柄組合せが変動表示手段に停止表示する。
【０００７】
また、本発明は、遊技状態移行手段による移行後または移行前の一方の遊技状態が、遊技媒体を賭けることなく再度単位遊技が行える再遊技内部当選役の抽選確率がこれと異なる他方の遊技状態に比べて高くなる高確率再遊技状態であることを特徴とする。
【０００８】
この構成によれば、移行後または移行前の一方の遊技状態が高確率再遊技状態になる。
【０００９】
また、本発明は、遊技状態移行手段による移行前後の遊技状態で、少なくともグループ役についての遊技媒体の単位賭け数当たりの配当を示す期待値がほぼ等しいことを特徴とする。
【００１０】
この構成によれば、遊技状態の移行前後において、少なくともグループ役についての遊技者が得られる配当量の期待をほぼ等しくすることができる。
【発明の効果】
【００１１】
このような本発明によれば、上記のように、移行前または移行後の一方の遊技状態においてグループ役が抽選されると、変動表示停止要求手段からの停止要求のタイミングに関わらず、グループ役に含まれる特定の内部当選役に対応する図柄組合せが変動表示手段に停止表示する。一方、これと異なる他方の遊技状態においてグループ役が抽選されると、変動表示停止要求手段から所定のタイミングで停止要求がされた場合に限り、グループ役に含まれる特定の内部当選役と異なる他の内部当選役に対応する図柄組合せが変動表示手段に停止表示する。このため、グループ役に含まれる他の内部当選役に対応する図柄を狙って停止要求を行う必要がある遊技状態では、遊技媒体の獲得枚数に遊技者の技量がより反映される。つまり、特定の内部当選役と異なる他の内部当選役に対応する図柄組合せが停止表示する所定のタイミングで停止要求操作を行うことが出来る熟練者は、多くの遊技媒体を獲得することができる。一方、この所定のタイミングで停止要求操作を行うことが困難な初心者は、それほど多くの遊技媒体を獲得することができない。また、グループ役が抽選された場合には、遊技状態の移行前後で、停止表示される内部当選役の種類、および変動表示停止要求手段での停止要求タイミングが異なるため、遊技に多様性を持たせることができて遊技の興趣が高められる。この結果、遊技者は遊技に面白味を感じることができる。
【００１２】
また、移行後または移行前の一方の遊技状態が高確率再遊技状態になる構成の場合、上記の興趣に高確率再遊技状態による興趣が加わり、遊技者は遊技により面白味を感じることができる。
【００１３】
また、遊技状態の移行前後において、少なくともグループ役についての、配当量の期待をほぼ等しくすることができる構成の場合、遊技店は、熟練者が多量の遊技媒体を獲得することを可能としつつ、各遊技状態を通じて遊技者全般が獲得できる遊技媒体の量をほぼ一定にすることが出来る。
【発明を実施するための最良の形態】
【００１４】
次に、本発明を実施するための最良の形態について説明する。
【００１５】
図１は、本発明による遊技機をパチスロ機に適用した第１の実施形態によるパチスロ機１の外観を示す正面図である。
【００１６】
パチスロ機１の本体中央部には、３個のリール２，３，４が回転自在に設けられている。各リール２，３，４の外周面には複数種類の図柄（以下、シンボルという）から成るシンボル列が描かれている。これらシンボルはパチスロ機１の正面の表示窓５，６，７を通してそれぞれ３個ずつ観察される。各リール２〜４は、シンボルを変動表示する変動表示手段を構成している。表示窓５，６，７には、横３本と斜め２本の計５本の入賞ラインＬ１，Ｌ２Ａ，Ｌ２Ｂ，Ｌ３Ａ，Ｌ３Ｂが設けられている。また、表示窓５〜７の下方右側には、遊技者が遊技に賭ける遊技媒体であるメダルが投入されるメダル投入口８が設けられている。
【００１７】
ゲーム開始に先立って、遊技者がメダル投入口８から１枚のメダルを投入したときは、中央の横１本の入賞ラインＬ１が有効化される。また、２枚投入したときは、これに上下の横２本の入賞ラインが加わって横３本の入賞ラインＬ１，Ｌ２Ａ，Ｌ２Ｂが有効化される。また、３枚投入したときは、これに斜め２本の入賞ラインが加わって５本の入賞ラインＬ１，Ｌ２Ａ，Ｌ２Ｂ，Ｌ３Ａ，Ｌ３Ｂ全てが有効化される。
【００１８】
また、表示窓５〜７の左方には、上部から、４個のチャンスＬＥＤ（発光ダイオード）９〜１２、３個の遊技動作表示ランプ１３〜１５、貯留枚数表示部１６、およびスタートランプ１７が設けられている。チャンスＬＥＤ９〜１２および遊技動作表示ランプ１３〜１５は遊技状態に応じて点灯制御され、その時の遊技状態が遊技者に知らされる。貯留枚数表示部１６は、３桁の７セグメントＬＥＤからなり、機械内部に現在クレジットされているメダル数を表示する。スタートランプ１７は各リール２〜４が作動可能な時に点滅する。
【００１９】
また、表示窓５〜７の右方には、上部から、ボーナスカウント表示部１８、ＷＩＮランプ１９、配当枚数表示部２０、およびインサートランプ２１が設けられている。ボーナスカウント表示部１８は、３桁の７セグメントＬＥＤからなり、ボーナスゲーム入賞時に、ＲＢゲームおよびジャックゲームの残り入賞可能回数をデジタル表示する。ＷＩＮランプ１９は有効化入賞ラインに入賞組み合わせのシンボルが揃った時に点灯する。配当枚数表示部２０は、３桁の７セグメントＬＥＤからなり、入賞によるメダル払い出し枚数を表示する。インサートランプ２１はメダル投入口８にメダルの投入が受付可能な時に点灯する。
【００２０】
また、表示窓５〜７の直ぐ下方には、液晶表示装置２２が設けられている。この液晶表示装置２２の左側には十字キー２３、「○」ボタン２４、「×」ボタン２５、１貯留メダル投入スイッチ２６、２貯留メダル投入スイッチ２７、および３貯留メダル投入スイッチ２８が設けられている。十字キー２３は、上下左右の４方向のスイッチ操作を検出して、液晶表示装置２２に表示される情報項目を選択する際に使用される。「○」ボタン２４は液晶表示装置２２に表示される指定情報を了承する決定ボタンであり、「×」ボタン２５は液晶表示装置２２に表示される指定情報をキャンセルするキャンセルボタンである。また、貯留メダル投入スイッチ２６〜２８は、貯留枚数表示部１６にメダル数が表示されてクレジットされている際に、メダル投入口８へのメダル投入に代えて１回のゲームに１〜３枚のメダルを賭ける際に使用される。
【００２１】
また、液晶表示装置２２の下方には、左側から、貯留メダル精算スイッチ２９、スタートレバー３０、およびストップボタン３１，３２，３３が設けられている。貯留メダル精算スイッチ２９は機械内部にクレジットされているメダルを精算する際に使用される。また、スタートレバー３０の操作により各リール２〜４の回転が一斉に開始する。ストップボタン３１〜３３は、各リール２〜４に対応して配置されており、これら各リール２〜４の回転が一定速度に達したときに操作が有効化される。ストップボタン３１〜３３は、遊技者の操作に応じて各リール２〜４の回転を停止して、各リール２〜４でのシンボルの変動表示の停止を要求する変動表示停止要求手段を構成している。
【００２２】
また、パチスロ機１の正面下部にはメダル受皿３４が設けられている。このメダル受皿３４はメダル払出口３５から払い出されるメダルを貯めるものである。また、パチスロ機１の正面上部には、入賞に対してどれだけのメダルが払い出されるかを示す配当表示部３６が設けられており、この配当表示部３６の左右には一対のスピーカ９６，９６が設けられている。
【００２３】
図２は、左，中，右の各リール２〜４に表された複数種類のシンボルが２１個配列されたシンボル列を示している。各リール２〜４は、シンボル列が同図の矢印方向に移動するように回転駆動される。各シンボルには００〜２０のコードナンバーが付されており、このコードナンバーはデータテーブルとして後述するプログラムＲＯＭ６５（図４参照）に格納されている。各シンボル列には「赤７」、「青７」、「スイカ」、「リプレイ」、「ベル」、「ＢＡＲ」、及び「チェリー」のシンボルが表されている。
【００２４】
次に、本実施形態によるパチスロ機１で行われる遊技の概要について説明する。
【００２５】
本実施形態での遊技状態には、「一般遊技状態」、「ＢＢ中一般遊技状態」及び「ＲＢ遊技状態」等の複数種類の遊技状態がある。「一般遊技状態」にはさらに「通常確率再遊技中一般遊技状態」と「高確率再遊技中一般遊技状態」とがある。これらの各遊技状態は、基本的に、内部当選する可能性のある役の種類、及び後述の再遊技に内部当選する確率により区別される。
【００２６】
本実施形態では、ＢＢ（ビッグボーナス）またはＲＢ（レギュラーボーナス）のボーナスに内部当選した後、ボーナスの入賞が成立する単位遊技までの間、複数の単位遊技にわたってボーナスを内部当選役として保持する（一般に、「持ち越し」と称される）。更に、ボーナスに内部当選した状態（ボーナスを持ち越した状態）においても、ボーナスに内部当選するようになっている。そして、入賞が成立することなく複数回ボーナスに内部当選した場合には、ボーナスの種別毎にその回数を計数し、その回数分のボーナスの入賞成立を実現可能にしている。ＢＢの入賞成立を実現可能な回数を、以下「ＢＢストック数」という。また、ＲＢの入賞成立を実現可能な回数を、以下「ＲＢストック数」という。
【００２７】
「高確率再遊技中一般遊技状態」は、「再遊技」に内部当選する確率が通常確率再遊技中一般遊技状態よりも高い状態（後述の高確率再遊技フラグがＯＮの状態）である。この「高確率再遊技」は「ＲＴ（リプレイ・タイム）ゲーム」ともいう。「通常確率再遊技中一般遊技状態」は、「再遊技」に内部当選する確率が通常の状態（後述の高確率再遊技フラグがＯＦＦの状態）をいう。「高確率再遊技中一般遊技状態」の発生条件は、後述する高確率再遊技制御処理（図１９参照）で行われる抽選によって、高確率再遊技開始に当選することである。また、「高確率再遊技中一般遊技状態」の終了条件は、後述する高確率再遊技制御処理（同図参照）で行われる抽選によって、高確率再遊技終了に当選することである。
【００２８】
図３は、各遊技状態における入賞シンボル組合せに対応する役および払い出し枚数を示す図である。
【００２９】
ＢＢの入賞は、「一般遊技状態」において“赤７”−“赤７”−“赤７”または“青７”−“青７”−“青７”が有効化入賞ラインに沿って並ぶことにより成立する。ＢＢの入賞が成立すると、１５枚のメダル払い出しが行われ、遊技状態が「ＢＢ中一般遊技状態」となる。ＲＢの入賞は、「一般遊技状態」において、“ＢＡＲ”−“ＢＡＲ”−“ＢＡＲ”が有効化入賞ラインに沿って並ぶこと、または「ＢＢ中一般遊技状態」において“リプレイ”−“リプレイ”−“リプレイ”が有効化入賞ラインに沿って並ぶことにより成立する。「ＢＢ中一般遊技状態」においてＲＢの入賞が成立することを、一般に「ＪＡＣ  ＩＮ」という。ＲＢの入賞が成立すると、「一般遊技状態」では１５枚、「ＢＢ中一般遊技状態」では１枚のメダル払い出しが行われ、遊技状態が「ＲＢ遊技状態」となる。本実施形態のパチスロ機１では、「一般遊技状態」においてボーナスに内部当選した場合には、その「一般遊技状態」においてボーナスの入賞を成立させることができる。
【００３０】
「再遊技」の入賞は、「一般遊技状態」において“リプレイ”−“リプレイ”−“リプレイ”が有効化入賞ラインに沿って並ぶことにより成立する。「再遊技」の入賞が成立すると、投入したメダルの枚数と同数のメダルが次回の単位遊技で自動投入され、遊技者はメダルを消費することなく次の単位遊技を行うことができる。また、「ＲＢ遊技状態」において“リプレイ”−“リプレイ”−“リプレイ”が有効化入賞ラインに揃うと、「役物」の入賞が成立し、１５枚のメダル払い出しが行われる。
【００３１】
「一般遊技状態」、「ＢＢ中一般遊技状態」では、“スイカ”−“スイカ”−“スイカ”が有効化入賞ラインに沿って並ぶことにより「スイカの小役」が成立する。「スイカの小役」の入賞が成立すると、１４枚のメダル払い出しが行われる。また、“ベル”−“ベル”−“ベル”が有効化入賞ラインに沿って並ぶことにより「ベルの小役」が成立する。「ベルの小役」の入賞が成立すると、７枚のメダル払い出しが行われる。「スイカの小役」および「ベルの小役」は、「グループ役」を構成しており、「通常確率再遊技中一般遊技状態」では「ベルの小役」の入賞を成立させることができ、「高確率再遊技中一般遊技状態」では「スイカの小役」の入賞を成立させることができる。また、“チェリー”−“ＡＮＹ”−“ＡＮＹ”が有効化入賞ラインに沿って並ぶことにより「チェリーの小役」が成立する。ここで、“ＡＮＹ”は、有効化入賞ラインに停止表示するシンボルの種類を問わない意味を表す。「チェリーの小役」の入賞が成立すると、２枚のメダル払い出しが行われる。
【００３２】
図４および図５は、上述したパチスロ機１の遊技処理動作を制御するメイン制御基板６１およびサブ制御基板６２に構成された回路構成を示している。
【００３３】
図４に示すメイン制御基板６１における制御部はマイクロコンピュータ（以下、マイコンという）６３を主な構成要素とし、これに乱数サンプリングのための回路を加えて構成されている。マイコン６３は、予め設定されたプログラムに従って制御動作を行うメインＣＰＵ（中央演算処理装置）６４と、プログラム記憶手段であるプログラムＲＯＭ（リード・オンリ・メモリ）６５およびバックアップ機能付き制御ＲＡＭ（ランダム・アクセス・メモリ）６６とを含んで構成されている。
【００３４】
メインＣＰＵ６４には、基準クロックパルスを発生するクロックパルス発生回路６７および分周器６８と、一定範囲の乱数を発生する乱数発生器６９および発生した乱数の１つを特定する乱数サンプリング回路７０とが接続されている。さらに、後述する周辺装置（アクチュエータ）との間で信号を授受するＩ／Ｏポート（入出力ポート）７１が接続されている。メインＣＰＵ６４は、後述のプログラムＲＯＭ６５に格納されているシーケンスプログラムにより遊技処理を行う。
【００３５】
メインＣＰＵ６４は、「通常確率再遊技中一般遊技状態」と「高確率再遊技中一般遊技状態」との間で遊技状態を移行する遊技状態移行手段を構成している。また、メインＣＰＵ６４は、上述した「グループ役」を含む複数の内部当選役の中からいずれかの内部当選役を抽選する内部当選役抽選手段を構成している。また、メインＣＰＵ６４は、リール２〜４でのシンボルの変動表示を制御する変動表示制御手段を構成している。変動表示制御手段は、「通常確率再遊技中一般遊技状態」において内部当選役として「グループ役」が抽選され、かつ、停止テーブルとしてベル入賞成立可能停止テーブル（図１０参照）が用いられた場合には、ストップボタン３１〜３３の操作タイミングに関わらず、「グループ役」に含まれる「ベルの小役」に対応するシンボル「ベル」の組合せを有効化入賞ライン上に停止表示する。一方、「高確率再遊技中一般遊技状態」において内部当選役として「グループ役」が抽選されると、シンボル「スイカ」が有効化入賞ライン上に引き込まれる所定のタイミングでストップボタン３１〜３３が操作された場合に限り、「グループ役」に含まれる「スイカの小役」に対応するシンボル「スイカ」の組合せを有効化入賞ライン上に停止表示する。本実施形態では、この所定のタイミングとは、シンボル「スイカ」が有効化入賞ラインから４コマの範囲内にあるタイミングである。
【００３６】
プログラムＲＯＭ６５は、パチスロ機１の遊技処理に用いられる各種テーブルやシーケンスプログラム等を格納するように記憶部が区分されている。
【００３７】
図６〜１３を参照して、プログラムＲＯＭ６５に記憶されている各種テーブルについて説明する。
【００３８】
図６は、確率抽選テーブルを概念的に示す図である。
【００３９】
この確率抽選テーブルは、サンプリング回路７０で抽出された乱数を各内部当選役に区分けするために使用され、乱数発生器６９で発生する一定範囲の乱数を各内部当選役に区画するデータを記憶している。同図における各数値は、乱数発生器で発生する“０〜１６３８３”までの“１６３８４”の乱数範囲のうち、各内部当選役が抽選される数値範囲を示す抽選値である。各内部当選役の抽選確率は、“１６３８４”を分母とし、抽選値を分子とする数値で表される。
【００４０】
同図（ａ）は、「通常確率再遊技中一般遊技状態」において用いられる通常確率再遊技中一般遊技状態用確率抽選テーブルである。このテーブルが用いられた場合、ＢＢ内部当選役が抽選される確率は“６８／１６３８４”である。また、ＲＢ内部当選役が抽選される確率は“４５／１６３８４”である。また、グループ役内部当選役が抽選される確率は“４５００／１６３８４”である。また、チェリー内部当選役が抽選される確率は“７２／１６３８４”である。また、再遊技内部当選役が抽選される確率は“２２４５／１６３８４”である。また、ハズレが抽選される確率は“９４５４／１６３８４”である。
【００４１】
同図（ｂ）は、「高確率再遊技中一般遊技状態」において用いられる高確率再遊技中一般遊技状態用確率抽選テーブルである。このテーブルが用いられた場合は、ＢＢ，ＲＢ，グループ役，チェリーの各内部当選役が抽選される確率は同図（ａ）に示すテーブルが用いられた場合と同様であるが、再遊技内部当選役が抽選される確率は“２２４６／１６３８４”であり、同図（ａ）に示すテーブルが用いられた場合に比べて、再遊技内部当選役が抽選される確率が高くなっている。また、ハズレが抽選される確率は“９４５３／１６３８４”であり、同図（ａ）に示すテーブルが用いられた場合に比べて、ハズレが抽選される確率が低くなっている。
【００４２】
図７は高確率再遊技開始抽選テーブルを概念的に示す図である。
【００４３】
高確率再遊技開始抽選テーブルは、後述する高確率再遊技制御処理（図１９参照）において高確率再遊技を行うか否かを決定する際に用いられるテーブルである。高確率再遊技開始抽選テーブルは、抽出された乱数を当選（開始）と非当選とに区画するデータを記憶している。同図における各数値は、“０〜１０２３”の“１０２４”の乱数範囲のうち、当選または非当選が抽選される数値範囲を示す抽選値である。当選および非当選の抽選値は、それぞれ“１”，“１０２３”である。当選または非当選の抽選確率は、“１０２４”を分母とし、抽選値を分子とする数値で表される。
【００４４】
図８は高確率再遊技終了抽選テーブルを概念的に示す図である。
【００４５】
高確率再遊技終了抽選テーブルは、後述する高確率再遊技制御処理（図１９参照）において高確率再遊技を終了するか否かを決定する際に用いられるテーブルである。高確率再遊技終了抽選テーブルは、抽出された乱数を当選（終了）と非当選とに区画するデータを記憶している。同図における各数値は、“０〜１０２３”の“１０２４”の乱数範囲のうち、当選または非当選が抽選される数値範囲を示す抽選値である。当選および非当選の抽選値は、それぞれ“１０”，“１０１４”である。当選または非当選の抽選確率は、“１０２４”を分母とし、抽選値を分子とする数値で表される。
【００４６】
次に、図９を参照して、遊技状態と、内部当選役と、選択される停止テーブル群との関係を説明する。
【００４７】
図９は、「通常確率再遊技中一般遊技状態」および「高確率再遊技中一般遊技状態」での内部当選役と選択される停止テーブル群の種類との関係を示す図である。
【００４８】
各停止テーブル群は、左，中，右の各リール２〜４の停止制御に用いられるもので、各遊技状態および内部当選役の種類毎に停止テーブル群が選択される。各停止テーブルには、無作為にストップボタン３１〜３３を操作した際に、内部当選役に対応するシンボル組み合わせが有効化入賞ラインに揃う確率を表す「引き込み率」が設定されている。
【００４９】
例えば、同図に示すように、遊技状態が「通常確率再遊技中一般遊技状態」の場合、ＢＢ内部当選役が抽選されるとＢＢ入賞成立可能停止テーブル群が選択される。ＢＢ入賞成立可能停止テーブル群は、ＢＢ入賞に対応するシンボルの「引き込み率」が“３２５／９２６１”である。また、ＲＢ内部当選役が抽選されると、ＲＢ入賞に対応するシンボルの「引き込み率」が“２５０／９２６１”のＲＢ入賞成立可能停止テーブル群が選択される。また、グループ役が抽選されると、ベル入賞に対応するシンボルの「引き込み率」が“９２６１／９２６１”のベル入賞成立可能停止テーブル群、または、全ての内部当選役の入賞が成立しない全入賞役入賞不成立停止テーブル群が選択される。いずれのテーブル群が選択されるかは後述する停止テーブル群選択テーブル（図１３参照）を用いた抽選によって決定される。また、チェリー内部当選役が抽選されると、チェリー入賞に対応するシンボルの「引き込み率」が“２２０５／９２６１”のチェリー入賞成立可能停止テーブル群が選択される。また、リプレイ内部当選役が抽選されると、リプレイ入賞に対応するシンボルの「引き込み率」が“９２６１／９２６１”、つまり必ずリプレイの入賞が成立する再遊技入賞成立可能停止テーブル群が選択される。また、ハズレ内部当選役が抽選されると全入賞役入賞不成立停止テーブル群が選択される。一方、遊技状態が「高確率再遊技中一般遊技状態」の場合は、ＢＢ，ＲＢ，チェリー，リプレイ，またはハズレが内部当選役として抽選されると、「通常確率再遊技中一般遊技状態」で用いられたものと同じ停止テーブル群が内部当選役に応じて選択される。また、グループ役が抽選されると、スイカ入賞に対応するシンボルの「引き込み率」が“３２１０／９２６１”のスイカ入賞成立可能停止テーブル群が選択される。
【００５０】
次に、メダルの賭け数１枚当たりの配当を示す期待値について説明する。
【００５１】
個々の内部当選役の「期待値」Ｒは、上述した引き込み率を用いて以下の式（１）によって一般的に表される。
【００５２】
Ｒ＝（メダルの配当枚数／メダルの賭け数）×｛内部当選役の抽選値／（全乱数範囲−再遊技の抽選値）｝×（引き込み率）・・・（１）
【００５３】
ただし、グループ役でベル入賞する場合には、引き込み率は、上記の式（１）に、ベル入賞成立可能停止テーブル群が選択される確率（４６２０／９２６１）を掛けた値となる。そして、遊技全体としての期待値Ｒｔは、各内部当選役の「期待値」を合計した値で表される。
【００５４】
「通常確率再遊技中一般遊技状態」の場合、各内部当選役の期待値Ｒは、以下の通りである。
ＢＢの期待値Ｒ＝（１５／３）×｛６８／（１６３８４−２２４５）｝×（３２５／９２６１）＝０．０００８４
ＲＢの期待値Ｒ＝（１５／３）×｛４５／（１６３８４−２２４５）｝×（２５０／９２６１）＝０．０００４３
グループ役の期待値Ｒ＝（７／３）×｛４５００／（１６３８４−２２４５）｝×（４６２０／９２６１）×（９２６１／９２６１）＝０．３７０４７
チェリーの期待値Ｒ＝（２／３）×｛７２／（１６３８４−２２４５）｝×（２２０５／９２６１）＝０．０００８０
【００５５】
そして、「通常確率再遊技中一般遊技状態」における期待値Ｒｔは、以下の通りである。
Ｒｔ＝０．０００８４＋０．０００４３＋０．３７０４７＋０．０００８０＝０．３７２５５
【００５６】
また、「高確率再遊技中一般遊技状態」の場合、各内部当選役の期待値Ｒは、以下の通りである。
ＢＢの期待値Ｒ＝（１５／３）×｛６８／（１６３８４−２２４６）｝×（３２５／９２６１）＝０．０００８４
ＲＢの期待値Ｒ＝（１５／３）×｛４５／（１６３８４−２２４６）｝×（２５０／９２６１）＝０．０００４３
グループ役の期待値Ｒ＝（１４／３）×｛４５００／（１６３８４−２２４６）｝×（２３１０／９２６１）＝０．３７０５０
チェリーの期待値Ｒ＝（２／３）×｛７２／（１６３８４−２２４６）｝×（２２０５／９２６１）＝０．０００８１
【００５７】
そして、「高確率再遊技中一般遊技状態」における期待値Ｒｔは、以下の通りである。
Ｒｔ＝０．０００８４＋０．０００４３＋０．３７０５０＋０．０００８１＝０．３７２５８
【００５８】
このように、本実施形態のパチスロ機１では、グループ役のベル入賞の１枚賭け当たり配当枚数（７／３）および引き込み率（４６２０／９２６１×９２６１／９２６１）の乗算値と、グループ役のスイカ入賞の１枚賭け当たり配当枚数（１４／３）および引き込み率（２３１０／９２６１）の乗算値とが等しく設定されているため、「通常確率再遊技中一般遊技状態」と「高確率再遊技中一般遊技状態」とで、各内部当選役の「期待値」がほぼ等しい値に設定されている。
【００５９】
次に、図１０〜図１２を参照して、各停止テーブル群について説明する。
【００６０】
図１０〜図１２は、各停止テーブル群のうち、ベル入賞成立可能停止テーブル，全入賞不成立停止テーブル，およびスイカ入賞成立可能停止テーブルを概念的に示す図である。
【００６１】
各停止テーブルには、左，中，右の各リール２〜４毎に「停止操作位置」および「停止制御位置」が示されている。「停止操作位置」の欄の各数値は、各ストップボタン３１〜３３が操作された際に、入賞ラインＬ１上に位置しているシンボルのコードナンバーを表す。「停止制御位置」の欄の各数値は、対応する「停止操作位置」で各ストップボタン３１〜３３が操作されると、入賞ラインＬ１上に停止表示されるシンボルのコードナンバーを表す。例えば、図１０に示すベル入賞成立可能停止テーブルでは、左リール２の「停止操作位置」がコードナンバー“２０”のシンボル「赤７」の場合には、「停止制御位置」がコードナンバー“００”のシンボル「ベル」であるため、入賞ラインＬ１上にはシンボル「ベル」が停止表示する。また、本実施形態では、いわゆる「スベリコマ数」を最大４コマとしているので、例えば、左リール２の回転中においてコードナンバー“０４”のシンボル「リプレイ」が入賞ラインＬ１上に位置したときに、ストップボタン３１が操作されると、４コマ離れたコードナンバー“０８”のシンボル「ベル」が有効化入賞ラインＬ１上に停止表示するように左リール２が停止制御される。
【００６２】
図１０に示すベル入賞成立可能停止テーブルでは、左リール２についての「停止制御位置」のコードナンバーは、“００”，“０３”，“０８”，“１２”，“１６”である。また、中リール３についての「停止制御位置」のコードナンバーは、“０１”，“０５”，“０９”，“１３”，“１７”である。また、右リール４についての「停止制御位置」のコードナンバーは、“０２”，“０７”，“１１”，“１６”，“１８”である。これらは、いずれもシンボル「ベル」に対応するコードナンバーである。つまり、このベル入賞成立可能停止テーブルが用いられると、ストップボタン３１〜３３の操作タイミングに関わらず、左，中，右の各リール２〜４についてシンボル「ベル」が入賞ラインＬ１上に停止表示するようにリール２〜４の停止制御が行われ、必ず「ベルの小役」の入賞が成立する。
【００６３】
また、図１１に示す全入賞役不成立停止テーブルでは、左リール２および中リール３についての「停止制御位置」のコードナンバーは、図１０に示すベル入賞成立可能停止テーブルと同じ値で、シンボル「ベル」に対応するものである。しかし、右リール４についての「停止制御位置」のコードナンバーは、“０３”，“０８”，“１０”，“１４”，“１９”であり、いずれもシンボル「リプレイ」に対応するコードナンバーである。このため、この全入賞役不成立停止テーブルが用いられると、ストップボタン３１〜３３の操作タイミングに関わらず、左，中の各リール２，３についてシンボル「ベル」が有効化入賞ラインＬ１上に停止表示すると共に右リール４についてシンボル「リプレイ」が有効化入賞ラインＬ１上に停止表示する。この場合、各入賞ラインＬ１，Ｌ２Ａ，Ｌ２Ｂ，Ｌ３Ａ，Ｌ３Ｂで揃えられるシンボル組合せは、いずれの内部当選役にも対応しないため、この全入賞役不成立停止テーブルが用いられた場合には、必ず「ハズレ」となる。
【００６４】
また、図１２に示すスイカ入賞成立可能停止テーブルでは、左リール２についての「停止制御位置」のコードナンバーは、シンボル「ベル」に対応する“０３”，“０８”と、シンボル「リプレイ」に対応する“１０”“１４”と、シンボル「赤７」に対応する“１９”である。いずれのコードナンバーの場合も、シンボル「スイカ」が表示窓５の下段に停止表示する。また、中リール３についての「停止制御位置」のコードナンバーは、シンボル「スイカ」に対応する“０３”，“１１”，“１５”と、シンボル「ＢＡＲ」に対応する“０７”と、シンボル「ベル」に対応する“１３”と、シンボル「チェリー」に対応する“１９”である。このため、コードナンバー“０３”，“１１”，“１５”の場合には、表示窓６の中段にシンボル「スイカ」が停止表示する。これに対し、コードナンバー“０７”の場合はシンボル「ＢＡＲ」が、コードナンバー“１３”の場合はシンボル「ベル」が、コードナンバー“１９”の場合はシンボル「チェリー」が、それぞれ表示窓６の中段に停止表示する。また、右リール４についての「停止制御位置」のコードナンバーは、シンボル「チェリー」に対応する“００”，“１７”と、シンボル「スイカ」に対応する“０１”と、シンボル「ＢＡＲ」に対応する“０５”と、シンボル「リプレイ」に対応する“１０”，“１４”と、シンボル「赤７」に対応する“２０”である。コードナンバー“００”，“０５”，“１４”の場合には、シンボル「スイカ」が表示窓７の上段に停止表示する。これに対し、コードナンバー“０１”の場合はシンボル「ベル」が、コードナンバー“１０”，“１７”の場合はシンボル「ベル」が、コードナンバー“２０”の場合はシンボル「チェリー」が、それぞれ表示窓７の上段に停止表示する。このため、このスイカ入賞成立可能停止テーブルが用いられた場合には、同テーブルで斜線が付されていない、中リール３について「停止操作位置」のコードナンバーが“０３”，“１１”，“１５”のいずれかであり、かつ、右リール４について「停止操作位置」のコードナンバーが“００”，“０５”，“１４”のいずれかである場合に限り、有効化入賞ラインＬ３Ａ上にシンボル「スイカ」の組み合わせが停止表示し、内部当選役「スイカ」の入賞を成立させることができる。
【００６５】
図１３は、停止テーブル群選択テーブルを概念的に示す図である。
【００６６】
停止テーブル群選択テーブルは、「通常確率再遊技中一般遊技状態」において内部当選役として「グループ役」が抽選された場合に、停止テーブル群として、ベル入賞成立可能停止テーブル群（図１０参照）、または、全入賞役入賞不成立停止テーブル群（図１１参照）のいずれかを選択する際に用いられる。停止テーブル群選択テーブルは、抽出された乱数を各停止テーブル群に区画するデータを記憶している。同図における各数値は、“０〜９２６０”の“９２６１”の乱数範囲のうち、各停止テーブル群が抽選される数値範囲を示す抽選値である。各停止テーブル群の抽選確率は、“９２６１”を分母とし、抽選値を分子とする数値で表される。
【００６７】
図４に示すマイコン６３からの制御信号により動作が制御される主要なアクチュエータとしては、各リール２，３，４を回転駆動するステッピングモータ４５、各種ランプ（遊技動作表示ランプ１３〜１５、スタートランプ１７、ＷＩＮランプ１９、インサートランプ２１）、各種表示部（チャンスＬＥＤ９〜１２、貯留枚数表示部１６、ボーナスカウント表示部１８、配当枚数表示部２０）、およびメダルを収納するホッパー７２がある。これらはそれぞれモータ駆動回路７３、各ランプ駆動回路７４、各表示部駆動回路７５、およびホッパー駆動回路７６によって駆動される。これら駆動回路７３〜７６は、マイコン６３のＩ／Ｏポート７１を介してメインＣＰＵ６４に接続されている。
【００６８】
また、マイコン６３が制御信号を生成するために必要な入力信号を発生する主な入力信号発生手段としては、メダル投入口８から投入されたメダルを検出する投入メダルセンサ８Ｓ、スタートレバー３０の操作を検出するスタートスイッチ３０Ｓ、前述した貯留メダル投入スイッチ２６〜２８、および貯留メダル精算スイッチ２９がある。さらに、ホトセンサからの出力パルス信号を受けて各リール２，３，４の回転位置を検出するリール位置検出回路７７がある。ホトセンサは各リール２〜４の駆動機構に含まれており、同図では示されていない。
【００６９】
リール位置検出回路７７は、リール２〜４の回転が開始された後、ステッピングモータ４５の各々に供給される駆動パルスの数を計数し、この計数値を制御ＲＡＭ６６の所定エリアに書き込む。従って、制御ＲＡＭ６６内には、各リール２〜４について、１回転の範囲内における回転位置に対応した計数値が格納されている。また、ホトセンサは各リール２〜４が１回転する毎にリセットパルスを発生する。このリセットパルスはリール位置検出回路７７を介してメインＣＰＵ６４に与えられ、制御ＲＡＭ６６で計数されている駆動パルスの計数値が“０”にクリアされる。このクリア処理により、各シンボルの移動表示と各ステッピングモータ４５の回転との間に生じるずれが、１回転毎に解消されている。
【００７０】
さらに、上記の入力信号発生手段としては、ストップボタン３１，３２，３３が押された時に対応するリールを停止させる信号を発生するリール停止信号回路７８、ホッパー７２から払い出されるメダル数を計数するメダル検出部７２Ｓ、および図示しない払出完了信号発生回路がある。これらもＩ／Ｏポート７１を介してメインＣＰＵ６４に接続されている。払出完了信号発生回路は、メダル検出部７２Ｓから入力した実際に払い出しのあったメダル計数値が、表示部駆動回路７５から入力した計数信号で表される配当枚数データに達した時に、メダル払い出しの完了を検知する信号を発生する。
【００７１】
また、Ｉ／Ｏポート７１にはサブ制御部通信ポート７９が接続されており、マイコン６３はこのサブ制御部通信ポート７９を介してサブ制御基板６２へ信号を送出する。図５に示すサブ制御基板６２には、この信号を受信するメイン制御部通信ポート８８が設けられている。サブ制御部通信ポート７９およびメイン制御部通信ポート８８間の通信は、サブ制御部通信ポート７９からメイン制御部通信ポート８８へ向かう一方向についてだけ行われる。本実施形態では、サブ制御部通信ポート７９からメイン制御部通信ポート８８へ送出される信号は、７ビット長でその制御種別が表されるコマンド種別と、最大２４ビット長でそのコマンドの内容が表されるパラメータとで構成されている。
【００７２】
サブ制御基板６２における制御部はマイコン８１を主な構成要素として構成されている。マイコン８１も、メイン制御基板６１におけるマイコン６３と同様、予め設定されたプログラムに従って制御動作を行うサブＣＰＵ８２と、プログラム記憶手段であるプログラムＲＯＭ８３およびバックアップ機能付き制御ＲＡＭ８４とを含んで構成されている。サブＣＰＵ８２にも、基準クロックパルスを発生するクロックパルス発生回路８５および分周器８６が接続されており、さらに、上記のメイン制御部通信ポート８８や後述するアクチュエータとの間で信号を授受するＩ／Ｏポート８７が接続されている。
【００７３】
マイコン８１からの制御信号により動作が制御されるアクチュエータとして、各リール２〜４に内蔵されたリールバックランプ４７ａ，４７ｂ，４７ｃがある。これらバックランプ４７ａ〜４７ｃの点灯は、Ｉ／Ｏポート８７に接続されたランプ駆動回路８９からの駆動信号によって制御される。また、マイコン８１が制御信号を生成するために必要な入力信号を発生する入力信号発生手段として、前述した十字キー２３、「○」ボタン２４および「×」ボタン２５がある。
【００７４】
また、Ｉ／Ｏポート８７にはＶＤＰ（ビデオ・ディスプレイ・プロセッサ）９０および音源ＩＣ９１が接続されている。ＶＤＰ９０には、キャラクタ・データが記憶されたキャラクタＲＯＭ９２およびカラーディスプレイ表示用メモリであるビデオＲＡＭ９３が接続されており、画像制御プログラムＲＯＭ９７および画像制御ワークＲＡＭ９８も接続されている。ＶＤＰ９０は、マイコン８１の制御の下、液晶表示装置２２に画像表示を行う。マイコン８１は、その時の遊技状態および当選フラグの種類といった情報をメイン制御部通信ポート８８を介してメイン制御基板６１から取り込み、取り込んだ遊技状態および当選フラグに基づいて表示する演出画像を選択する。そして、ＶＤＰ９０を制御して選択した演出画像を液晶表示装置２２に表示させる。
【００７５】
また、音源ＩＣ９１にはサウンド・データが記憶されたサウンドＲＯＭ９４が接続されており、音源ＩＣ９１は、マイコン８１の制御の下、パワーアンプ９５を介してスピーカ９６，９６からサウンドを放音させる。マイコン８１は、メイン制御部通信ポート８８を介してメイン制御基板６１から入力される指示に従い、音源ＩＣ９１およびパワー・アンプ９５を制御し、メダル投入音，スタートレバー操作音，ストップボタン操作音，ボーナスゲーム中の遊技音といった効果音をスピーカ９６，９６から出力させる。また、メイン制御基板６１から取り込んだ遊技状態および当選フラグに基づいて選択した演出態様に基づく出音パターンで、スピーカ９６，９６から出音させる。
【００７６】
次に、上述した制御回路によって制御されるパチスロ機１の動作について説明する。
【００７７】
図１４〜図１６はメイン制御基板６１のメインＣＰＵ６４によって制御される遊技処理の概略を示すフローチャートである。
【００７８】
初めに、メインＣＰＵ６４は、遊技開始時の初期化処理を行う（図１４，ステップ１０１参照）。この初期化処理では、制御ＲＡＭ６６の記憶内容の初期化、通信データの初期化等が行われる。続いて、ゲーム終了時のＲＡＭクリア処理が行われる（ステップ１０２）。具体的には、前回のゲームに使用された制御ＲＡＭ６６の書き込み可能エリアのデータの消去、制御ＲＡＭ６６の書き込みエリアへの次のゲームに必要なパラメータの書き込み、次のゲームのシーケンスプログラムの開始アドレスの指定等を行う。
【００７９】
次に、メインＣＰＵ６４は、メダルの自動投入要求があるか、すなわち前回のゲームでリプレイの入賞が成立したか否かを判別する（ステップ１０３）。リプレイの入賞が成立した場合には、投入要求分のメダルを自動投入する（ステップ１０４）。一方、リプレイの入賞が成立していないときは、メダル投入があるか否かを判別する（ステップ１０５）。具体的には、投入メダルセンサ８Ｓ又は貯留メダル投入スイッチ２６，２７，２８からの入力があるか否かを判別する。メダル投入がない場合には、処理はステップ１０３に戻り、上述の処理が繰り返される。一方、メダルの自動投入又はメダル投入があった場合には、メインＣＰＵ６４は、スタートレバー３０の操作に基づくスタートスイッチ３０Ｓからのスタート信号入力があるか否かを判別する（ステップ１０６）。スタート信号入力がない場合は、ステップ１０６の処理が繰り返して行われる。一方、スタート信号入力があった場合には、次に、前回の遊技から４．１秒を経過しているか否かが判別される（ステップ１０７）。４．１秒を経過していない場合は、ウエイト機能が働いて４．１秒が経過するまでの遊技開始待ち時間が消化される（ステップ１０８）。また、この待ち時間消化に伴い、Ｉ／Ｏポート７１を介してサブ制御基板６２側へウエイト時間コマンドが送信される。また、スタートレバー３０の操作がこの４．１秒経過前に行われると、スピーカ９６，９６からリール回転不可音が出音され、ウエイト機能が働いたことが遊技者に対して報知される。
【００８０】
前回遊技から４．１秒を経過すると、リール回転処理が行われる（ステップ１０９）。リール回転処理では、まず、リール２〜４の各回転位置が書き込まれる制御ＲＡＭ６６の所定領域が、メインＣＰＵ６４によってリール２〜４の回転の開始に際して初期化され、引き続いて各リール２〜４がステッピングモータ４５によって回転駆動される。次に、乱数発生器６９で発生した抽選用の乱数がサンプリング回路７０によって抽出され（ステップ１１０）、その後、上記の４．１秒をカウントするための１遊技監視用タイマがセットされる（ステップ１１１）。続いて、メインＣＰＵ６４は、後述する遊技状態監視処理（図１５，ステップ１１２参照）、確率抽選処理（ステップ１１３）、高確率再遊技制御処理（ステップ１１４）、および停止テーブル群選択処理（ステップ１１５）を行う。これらの処理が行われた後、ゲーム開始コマンド送信処理が行われる（ステップ１１６）。ゲーム開始コマンド送信処理では、スタートスイッチ３０ＳからメインＣＰＵ６４へ入力されたスタート信号に基づき、ゲーム開始コマンドがＩ／Ｏポート７１を介してサブ制御基板６２側へ送信される。このゲーム開始コマンドは、内部当選役および遊技状態を表す１６ビットのパラメータを含んで構成されている。
【００８１】
次に、何れかのストップボタン３１〜３３がオン操作されたか否かが判別される（ステップ１１７）。オン操作されていない場合には、自動停止タイマの値が０になったか否かが判別される（ステップ１１８）。この自動停止タイマーは、ストップボタン３１〜３３が所定時間操作されない場合に、各リール２〜４を所定時間経過後に自動的に停止させるためのものである。
【００８２】
何れかのストップボタン３１〜３３がオン操作されたか、または、自動停止タイマーが０になると、次に、有効化入賞ライン上に引き込まれるシンボルのコマ数、つまり滑りコマ数が決定される（ステップ１１９）。この滑りコマ数は、遊技状態，当選要求，制御コマ数，シンボル位置等から定められ、有効化入賞ラインから当選シンボルまでのコマ数が制御コマ数の範囲内にあれば滑りコマ数として決定される。次に、この滑りコマ数が制御ＲＡＭ６６の所定領域に格納される。その後、第１停止リールの停止要求フラグがセットされ、この停止要求フラグがセットされるのに応じ、決定された滑りコマ数分だけ第１停止リールが回転させられるリール引き込み制御が行われ、１個のリールの回転が停止させられる（ステップ１２０）。リールの回転が停止すると、リール停止コマンドがＩ／Ｏポート７１を介してサブ制御基板６２側へ送信される（ステップ１２１）。このリール停止コマンドは、回転が停止したリールが左，中，右の各リール２〜４の中のいずれのリールであるかを表す１６ビットのパラメータを含んで構成されている。
【００８３】
次に、全てのリール２〜４が停止したか否かが判別される（ステップ１２２）。第２停止リールおよび第３停止リールが未だ停止していない場合には、処理はステップ１１７に戻り、以上の処理が繰り返して行われる。全てのリール２〜４が停止すると、次に、メインＣＰＵ６４によって入賞検索処理が行われる（図１６，ステップ１２３参照）。この入賞検索処理では、有効化入賞ライン上に実際に揃っているシンボルの組合せの種類と、確率抽選処理によって決定された内部当選役の種類との一致がとられる。そして、次にこの入賞フラグが正常か否かが判別される（ステップ１２４）。この判別結果が正常でない場合、例えば、スイカのシンボル組合せが有効化入賞ライン上に揃っているのに、内部当選役に対応する当たり要求フラグがチェリーのフラグである場合には、払出表示部２０および液晶表示装置２２にイリーガルエラーが表示される（ステップ１２５）。入賞フラグが正常の場合には、続いて、その時の状態によって遊技メダルの貯留、または払い出し処理が行われる（ステップ１２６）。つまり、クレジットで遊技が行われている状態であれば、入賞によって獲得したメダル数分、クレジット表示部１６に表示される貯留枚数が増加され、また、メダル投入口８へのメダル投入で遊技が行われている状態であれば、入賞によって獲得した枚数のメダルがメダル受皿３４へ払い出される。
【００８４】
メダルの貯留または払い出しが行われると、入賞コマンドがＩ／Ｏポート７１を介してサブ制御回路６２側へ送信される（ステップ１２７）。この入賞コマンドは、入賞役、遊技状態および入賞ラインを表す２４ビットのパラメータを含んで構成されている。次に、メインＣＰＵ６４によって現在の遊技状態が「ＢＢ中一般遊技状態」または「ＲＢ遊技状態」であるか否かが判別される（ステップ１２８）。「ＢＢ中一般遊技状態」または「ＲＢ遊技状態」でない場合には、ＢＢ・ＲＢ入賞チェック処理を行う（ステップ１２９）。このＢＢ・ＲＢ入賞チェック処理では、ＢＢまたはＲＢの入賞が成立したか否かを判別する。そして、ＢＢ入賞が成立した場合には「ＢＢ中一般遊技状態」に、ＲＢ入賞が成立した場合には「ＲＢ遊技状態」に、それぞれ遊技状態を移行する。続いて、メインＣＰＵ６４による遊技処理はステップ１０２に戻り、次の新たな遊技が開始される。一方、ステップ１２８で遊技状態が「ＢＢ中一般遊技状態」または「ＲＢ遊技状態」である場合には、次に、ＢＢゲームまたはＲＢゲームの遊技数がメインＣＰＵ６４によってチェックされる（ステップ１３０）。続いて、メインＣＰＵ６４によって現在の遊技状態がＢＢゲームの終了時か否かが判別される（ステップ１３１）。ＢＢゲーム終了時であれば、続いて、ＢＢゲーム終了時のＲＡＭクリア処理が制御ＲＡＭ６６に対して行われ（ステップ１３２）、ＢＢ終了コマンドがＩ／Ｏポート７１を介してサブ制御回路６２側へ送信される。このＢＢ終了コマンドは、終了動作を表す３ビットのパラメータを含んで構成されている。その後、遊技処理はステップ１０２に戻って次の新たな遊技が開始される。また、ステップ１３０の判別でＢＢゲーム終了時でなければ、遊技処理はそのままステップ１０２に戻って次の新たな遊技が開始される。
【００８５】
次に、図１５のステップ１１２で行われる遊技状態監視処理について説明する。
【００８６】
図１７は、遊技状態監視処理の詳細を示すフローチャートである。遊技状態監視処理では、まず始めに、メインＣＰＵ６４は、遊技状態が「ＢＢ中一般遊技状態」または「ＲＢ遊技状態」であるか否かを判別する（図１７，ステップ２０１参照）。遊技状態が「ＢＢ中一般遊技状態」または「ＲＢ遊技状態」である場合は、それぞれの遊技状態の種別に応じて遊技状態をセットし（ステップ２０２）、遊技状態監視処理は終了する。一方、ステップ２０１で遊技状態が「ＢＢ中一般遊技状態」または「ＲＢ遊技状態」でない場合は、高確率再遊技フラグがＯＮか否かを判別する（ステップ２０３）。高確率再遊技フラグがＯＮである場合は、遊技状態を「高確率再遊技中一般遊技状態」にセットする（ステップ２０４）。一方、ステップ２０３で高確率再遊技フラグがＯＮでない場合は、遊技状態を「通常確率再遊技中一般遊技状態」にセットする（ステップ２０５）。遊技状態を「通常確率再遊技中一般遊技状態」または「高確率再遊技中一般遊技状態」にセットした後、遊技状態監視処理は終了する。
【００８７】
次に、図１５のステップ１１３で行われる確率抽選処理について説明する。
【００８８】
図１８は、確率抽選処理の詳細を示すフローチャートである。確率抽選処理では、まず始めに、メインＣＰＵ６４は、上記遊技状態監視処理においてセットされた遊技状態に応じた種類の確率抽選テーブルを制御ＲＡＭ６６にセットする（図１８，ステップ３０１参照）。具体的には、遊技状態が「高確率再遊技中一般遊技状態」である場合には、高確率再遊技中一般遊技状態用確率抽選テーブル（図６（ｂ）参照）を制御ＲＡＭ６６にセットし、「通常確率再遊技中一般遊技状態」である場合には、通常確率再遊技中一般遊技状態用確率抽選テーブル（図６（ａ）参照）を制御ＲＡＭ６６にセットする。続いて、セットした確率抽選テーブルおよび投入されたメダル枚数に基づいて、内部当選役の抽選を行う。この抽選は、乱数発生器６９で発生した抽選用の乱数をサンプリング回路７０によって抽出し、抽出した乱数値が、制御ＲＡＭ６６にセットされた確率抽選テーブルにおいてどの内部当選役に属する値になっているかを判断することにより行う。次に、メインＣＰＵ６４は、抽選した内部当選役の情報を制御ＲＡＭ６６に格納し（ステップ３０３）、確率抽選処理を終了する。
【００８９】
次に、図１５のステップ１１４で行われる高確率再遊技制御処理について説明する。
【００９０】
図１９は、高確率再遊技制御処理の詳細を示すフローチャートである。高確率再遊技制御処理では、まず始めに、メインＣＰＵ６４は、遊技状態が「一般遊技状態」であるか否かを判別する（図１９，ステップ４０１参照）。遊技状態が「一般遊技状態」でない場合には、高確率再遊技制御処理はそのまま終了する。一方、遊技状態が「一般遊技状態」である場合には、次に、メインＣＰＵ６４は、高確率再遊技フラグがＯＮか否かを判別する（ステップ４０２）。高確率再遊技フラグがＯＮである場合には、高確率再遊技終了抽選テーブル（図８参照）を制御ＲＡＭ６６にセットする（ステップ４０３）。一方、高確率再遊技フラグがＯＮでない場合には、高確率再遊技開始抽選テーブル（図７参照）を制御ＲＡＭ６６にセットする（ステップ４０４）。次に、抽選用の乱数を抽出し（ステップ４０５）、制御ＲＡＭ６６にセットした各抽選テーブルに基づく抽選を行う（ステップ４０６）。続いて、メインＣＰＵ６４は、抽選結果が当選であるか否かを判別する（ステップ４０７）。この判別は、ステップ４０５で抽出した乱数値が、各抽選テーブルの当選または非当選のいずれの区画に属する値になっているかを判断することにより行う。そして、抽選結果が当選である場合には、高確率再遊技フラグを反転する（ステップ６０８）。つまり、高確率再遊技終了抽選テーブルに基づく抽選で当選した場合には、高確率再遊技フラグをＯＦＦにし、高確率再遊技開始抽選テーブルに基づく抽選で当選した場合には、高確率再遊技フラグをＯＮにする。一方、ステップ４０７で抽選結果が当選でない場合には、高確率再遊技フラグの反転を行うことなく高確率再遊技制御処理を終了する。
【００９１】
次に、図１５のステップ１１５で行われる停止テーブル群選択処理について説明する。
【００９２】
図２０は、停止テーブル群選択処理の詳細を示すフローチャートである。停止テーブル群選択処理では、まず始めに、メインＣＰＵ６４は、遊技状態が「高確率再遊技中一般遊技状態」であるか否かを判別する（図２０，ステップ５０１参照）。この判別は、高確率再遊技フラグがＯＮであるか否かを判断することにより行う。遊技状態が高確率再遊技中一般遊技状態でない場合には、次に、メインＣＰＵ６４は、確率抽選処理（図１５，ステップ１１３参照）で抽選された内部当選役が「グループ役」であるか否かを判別する（ステップ５０２）。内部当選役が「グループ役」である場合には、停止テーブル群選択テーブル（図１３参照）を制御ＲＡＭ６６にセットし（ステップ５０３）、抽選用の乱数を抽出する（ステップ５０４）。次に、メインＣＰＵ６４は、制御ＲＡＭ６６にセットした停止テーブル群選択テーブルに基づく抽選を行い（ステップ５０５）、抽選の結果、ベル入賞成立可能停止テーブル群に当選したか否かを判別する（ステップ５０６）。抽選結果の判別は、ステップ５０４で抽出した乱数値が、停止テーブル群選択テーブルのいずれの抽選値の区画に属する値になっているかを判断することにより行う。そして、抽選結果がベル入賞成立可能停止テーブル群に割り当てられた抽選値の区画に属して当選である場合には、ベル入賞成立可能停止テーブル群を選択して制御ＲＡＭ６６にセットする（ステップ５０７）。一方、抽選結果が当選でない場合には、全入賞役入賞不成立停止テーブル群を選択して制御ＲＡＭ６６にセットする（ステップ５０８）。また、ステップ５０１での判別結果が高確率再遊技中一般遊技状態でない場合、またはステップ５０２での判別結果が「グループ役」でない場合には、内部当選役および遊技状態に応じた停止テーブル群を選択して制御ＲＡＭ６６にセットし（ステップ５０９）、停止テーブル群選択処理を終了する。
【００９３】
このように、本実施形態のパチスロ機１によれば、「通常確率再遊技中一般遊技状態」において「グループ役」内部当選役が図１５，ステップ１１３の確率抽選処理で抽選されると、図２０，ステップ５０５の停止テーブル群選択テーブルに基づく抽選で、ベル入賞成立可能停止テーブル群または全入賞役入賞不成立停止テーブルのいずれかを選択する。図２０，ステップ５０７でベル入賞成立可能停止テーブル群が選択されると、遊技者によるストップボタン３１〜３３の操作タイミングに関わらず、有効化入賞ライン上にシンボル「ベル」の組み合わせが停止表示し、必ず「ベルの小役」の入賞が成立する。これに対し、図２０，ステップ５０８で全入賞役入賞不成立停止テーブル群が選択されると、どのタイミングでストップボタン３１〜３３が操作されても、いずれの内部当選役の入賞も成立させることができない。一方、「高確率再遊技中一般遊技状態」において「グループ役」内部当選役が図１５，ステップ１１３の確率抽選処理で抽選されると、図２０，ステップ５０９でスイカ入賞成立可能停止テーブルが選択され、遊技者によるストップボタン３１〜３３の操作タイミングが、有効化入賞ライン上にシンボル「スイカ」が引き込まれる所定のタイミングである場合に限り、シンボル「スイカ」の組み合わせが停止表示し、「スイカの小役」の入賞が成立する。
【００９４】
つまり、「高確率再遊技中一般遊技状態」において内部当選役として「グループ役」が抽選された場合には、遊技者は、シンボル「スイカ」を狙ってストップボタン３１〜３３を操作する必要がある。シンボル「スイカ」が有効化入賞ラインに引き込まれる所定のタイミングでストップボタン３１〜３３を操作できる熟練者は、多くのメダルを獲得することができる。一方、この所定のタイミングでストップボタン３１〜３３を操作するのが困難な初心者は、それほど多くのメダルを獲得することができない。従って、メダルの獲得枚数に遊技者の技量が従来のパチスロ機より反映される。また、内部当選役として「グループ役」が抽選された場合には、遊技状態が「通常確率再遊技中一般遊技状態」であるか、また「高確率再遊技中一般遊技状態」であるかによって、有効化入賞ライン上に揃えるべきシンボルの種類と、ストップボタン３１〜３３の操作タイミングとが異なるため、遊技に多様性を持たせることができ、遊技の興趣が高められる。この結果、遊技者は、「高確率再遊技状態」による興趣と合わせて、遊技により面白味を感じることができる。
【００９５】
また、「通常確率再遊技中一般遊技状態」と「高確率再遊技中一般遊技状態」とで、メダルの単位賭け数当たりの配当を示す「期待値」がほぼ等しいため、これら各遊技状態で遊技者が得られる配当量の期待をほぼ等しくすることができる。このため、遊技店は、熟練者が多量のメダルを獲得することを可能としつつ、各遊技状態を通じて遊技者全般が獲得できるメダルの量をほぼ一定にすることが出来る。
【００９６】
次に、本発明による遊技機をパチスロ機に適用した第２の実施形態について説明する。
【００９７】
本実施形態によるパチスロ機は、リール２〜４のシンボル列に表されたシンボルの種類および配列態様が、上記第１の実施形態のパチスロ機１と異なる点が大きく相違しているが、上記第１の実施形態とほぼ同様の構成を有し、同様の遊技処理を行う。
【００９８】
図２１は、本実施形態によるパチスロ機の左，中，右の各リール２，３，４に表された複数種類のシンボルが２１個配列されたシンボル列を示している。同図に示すように、各シンボル列には「赤７」、「青７」、「スイカ」、「リプレイ」、「ベル」、「ＢＡＲ」、「上チリ」、及び「下チリ」のシンボルが表されており、第１の実施形態の「チェリー」が無いかわりに「上チリ」及び「下チリ」が設けられている。
【００９９】
図２２は、各遊技状態における入賞シンボル組合せに対応する役および払い出し枚数を示す図である。
【０１００】
本実施形態では、ＲＢの入賞は、「一般遊技状態」においては、“赤７”−“赤７”−“青７”が有効化入賞ラインに沿って並ぶことにより成立する。なお、本実施形態でも、上記第１の実施形態と同様に、「一般遊技状態」においてボーナスに内部当選した場合には、その「一般遊技状態」においてボーナスの入賞を成立させることができる。また、「スイカの小役」，「ベルの小役」の入賞成立の際に払い出されるメダル枚数は、それぞれ１５枚，６枚である。また、本実施形態では、「一般遊技状態」または「ＢＢ中一般遊技状態」において“上チリ”−“ＡＮＹ”−“ＡＮＹ”が有効化入賞ラインに沿って並ぶことにより「上チリの小役」が成立する。「上チリの小役」の入賞が成立すると、２枚のメダル払い出しが行われる。また、“下チリ”−“ＡＮＹ”−“ＡＮＹ”が有効化入賞ラインに沿って並ぶことにより「下チリの小役」が成立する。「下チリの小役」の入賞が成立すると、２枚のメダル払い出しが行われる。
【０１０１】
本実施形態では、「上チリの小役」および「下チリの小役」からなる「デカチリの小役」と、「ベルの小役」との組み合わせで「グループ役」が構成されており、「通常確率再遊技中一般遊技状態」では「デカチリの小役」の入賞を成立させることができ、「高確率再遊技中一般遊技状態」では「ベルの小役」の入賞を成立させることができる。「デカチリの小役」は、“上チリ”と“下チリ”とが同時に表示窓５の上段および中段、または中段および下段に並ぶと成立する。「デカチリの小役」の入賞が成立すると、３本の有効化入賞ライン上にそれぞれ２枚配当の役が成立するので、６枚のメダル払い出しが行われる。
【０１０２】
本実施形態では、メインＣＰＵ６４から構成される変動表示制御手段は、「通常確率再遊技中一般遊技状態」において内部当選役として「グループ役」が抽選されると、シンボル「上チリ」および「下チリ」が有効化入賞ライン上に引き込まれる所定のタイミングでストップボタン３１〜３３が操作された場合に限り、「グループ役」に含まれる「デカチリの小役」を有効化入賞ライン上に停止表示する。一方、「高確率再遊技中一般遊技状態」において内部当選役として「グループ役」が抽選され、かつ、停止テーブルとしてベル入賞成立可能停止テーブルが用いられた場合には、ストップボタン３１〜３３の操作タイミングに関わらず、グループ役に含まれる「ベルの小役」に対応するシンボル「ベル」の組合せを有効化入賞ライン上に停止表示する。
【０１０３】
また、本実施形態では、図１５，ステップ１１３の確率抽選処理、ステップ１１４の高確率再遊技制御処理、ステップ１１５の停止テーブル群選択処理で用いられる各抽選テーブルが、上記第１の実施形態で用いられた各確率抽選テーブル（図６〜図１３）と異なる。
【０１０４】
図２３は、確率抽選テーブルを概念的に示す図である。
【０１０５】
同図（ａ）に示す通常確率再遊技中一般遊技状態用確率抽選テーブルでは、ＢＢ内部当選役が抽選される確率は“６８／１６３８４”である。また、ＲＢ内部当選役が抽選される確率は“４０／１６３８４”である。また、グループ役内部当選役が抽選される確率は“１００００／１６３８４”である。また、スイカ内部当選役が抽選される確率は“１６００／１６３８４”である。また、再遊技内部当選役が抽選される確率は“２２４５／１６３８４”である。また、ハズレ内部当選役が抽選される確率は“２４３１／１６３８４”である。同図（ｂ）に示す高確率再遊技中一般遊技状態用確率抽選テーブルでは、ＢＢ，ＲＢ，グループ役，およびスイカの各内部当選役の抽選確率は同図（ａ）のテーブルと同様である。しかし、再遊技内部当選役およびハズレ内部当選役が抽選される確率は、それぞれ“２２４７／１６３８４”および“２４２９／１６３８４”であり、同図（ａ）に示すテーブルに比べて、再遊技内部当選役が抽選される確率が高く、ハズレ内部当選役が抽選される確率が低くなっている。
【０１０６】
図２４は、高確率再遊技開始抽選テーブルを概念的に示す図であり、高確率再遊技開始抽選テーブルは、当選（開始）および非当選の抽選値がそれぞれ“１０”，“１０１４”である。また、図２５は、高確率再遊技終了抽選テーブルを概念的に示す図であり、高確率再遊技終了抽選テーブルは、当選（終了）および非当選の抽選値がそれぞれ“１”，“１０２３”である。
【０１０７】
図２６は、「通常確率再遊技中一般遊技状態」および「高確率再遊技中一般遊技状態」での内部当選役と選択される停止テーブル群の種類との関係を示す図である。
【０１０８】
本実施形態では、同図に示すように、上記第１の実施形態の場合と同様に、ＢＢ，ＲＢ，グループ役，スイカ，リプレイ，またはハズレが内部当選役として抽選されると、各内部当選役に応じた停止テーブル群が選択される。遊技状態が「通常確率再遊技中一般遊技状態」の場合は、ＢＢ入賞成立可能停止テーブル群，ＲＢ入賞成立可能停止テーブル群，デカチリ入賞成立可能停止テーブル群，スイカ入賞成立可能停止テーブル群，再遊技入賞成立可能停止テーブル群の各停止テーブル群の「引き込み率」は、それぞれ“３２５／９２６１”，“２４５／９２６１”，“２４７０／９２６１”，“１３２３／９２６１”，“９２６１／９２６１”である。一方、遊技状態が「高確率再遊技中一般遊技状態」の場合は、ＢＢ，ＲＢ，スイカ，またはハズレが内部当選役として抽選されると、「通常確率再遊技中一般遊技状態」で用いられたものと同じ停止テーブル群が内部当選役に応じて選択される。しかし、グループ役が抽選された場合には、ベル入賞に対応するシンボルの「引き込み率」が“９２６１／９２６１”のベル入賞成立可能停止テーブル群または全入賞役入賞不成立停止テーブル群が選択される。また、再遊技内部当選役が抽選された場合には、再遊技入賞に対応するシンボルの「引き込み率」が“９２６１／９２６１”の再遊技入賞成立可能停止テーブル群または全入賞役入賞不成立停止テーブル群が選択される。
【０１０９】
次に、本実施形態での、メダルの賭け数１枚当たりの配当を示す期待値について説明する。
【０１１０】
「通常確率再遊技中一般遊技状態」の場合、各内部当選役の期待値Ｒは、以下の通りである。
ＢＢの期待値Ｒ＝（１５／３）×｛６８／（１６３８４−２２４５）｝×（３２５／９２６１）＝０．０００８４
ＲＢの期待値Ｒ＝（１５／３）×｛４０／（１６３８４−２２４５）｝×（２４５／９２６１）＝０．０００３７
グループ役の期待値Ｒ＝（６／３）×｛１００００／（１６３８４−２２４５）｝×（１３２３／９２６１）＝０．２０２１０
スイカの期待値Ｒ＝（１５／３）×｛１６００／（１６３８４−２２４５）｝×（２４７０／９２６１）＝０．１５０９１
【０１１１】
そして、「通常確率再遊技中一般遊技状態」における期待値Ｒｔは、以下の通りである。
【０１１２】
Ｒｔ＝０．０００８４＋０．０００３７＋０．２０２１０＋０．１５０９１＝０．３５４２２
【０１１３】
また、「高確率再遊技中一般遊技状態」の場合、各内部当選役の期待値Ｒは、以下の通りである。
ＢＢの期待値Ｒ＝（１５／３）×｛６８／（１６３８４−２２４７）｝×（３２５／９２６１）＝０．０００８４
ＲＢの期待値Ｒ＝（１５／３）×｛４０／（１６３８４−２２４７）｝×（２４５／９２６１）＝０．０００３７
グループ役の期待値Ｒ＝（６／３）×｛１００００／（１６３８４−２２４７）｝×（３／２１）×（９２６１／９２６１）＝０．２０２０８
チェリーの期待値Ｒ＝（１５／３）×｛１６００／（１６３８４−２２４７）｝×（２４７０／９２６１）＝０．１５０９１
【０１１４】
そして、「高確率再遊技中一般遊技状態」における期待値Ｒｔは、以下の通りである。
Ｒｔ＝０．０００８４＋０．０００３７＋０．２０２０８＋０．１５０９１＝０．３５５４２０
【０１１５】
このように、グループ役のデカチリ入賞の１枚賭け当たり配当枚数（６／３）および引き込み率（１３２３／９２６１）の乗算値と、グループ役のベル入賞の１枚賭け当たり配当枚数（６／３）および引き込み率（３／２１×９２６１／９２６１）の乗算値とが等しく設定されているため、本実施形態においても、上記第１の実施形態と同様に、「通常確率再遊技中一般遊技状態」と「高確率再遊技中一般遊技状態」とで、各内部当選役の「期待値」がほぼ等しい値に設定されている。
【０１１６】
図２７〜図２９は、各停止テーブル群のうち、デカチリ入賞成立可能停止テーブル，ベル入賞成立可能停止テーブル，および全入賞役不成立停止テーブルを概念的に示す図である。
【０１１７】
各停止テーブルは、上記第１の実施形態の場合と同様に、各リール２〜４毎に「停止操作位置」および「停止制御位置」が示されているが、「停止操作位置」と「停止制御位置」とのコードナンバーの対応関係が、上記第１の実施形態の場合と異なる。
【０１１８】
図２７に示すデカチリ入賞成立可能停止テーブルでは、左リール２についての「停止制御位置」のコードナンバーは、シンボル「ベル」に対応する“００”，“０４”，“０９”，“１４”，“１７”と、シンボル「上チリ」に対応する“１２”である。また、中リール３についての「停止制御位置」のコードナンバーは、“０２”，“０６”，“１０”，“１３”，“１８”であり、いずれもシンボル「ベル」に対応するものである。また、右リール４についての「停止制御位置」のコードナンバーは、“００”，“０４”，“０８”，“１３”，“１７”であり、いずれもシンボル「リプレイ」に対応するものである。このため、このデカチリ入賞成立可能停止テーブルが用いられた場合には、左リール２について「停止操作位置」のコードナンバーが同テーブルで斜線が付されていない“１２”である場合に限り、左リール２の入賞ラインＬ１上にシンボル「上チリ」が停止表示すると共に左リール２の有効化入賞ラインＬ２Ｂ，Ｌ３Ａ上にシンボル「下チリ」が停止表示すると共に、左リール２して、「グループ役」である「デカチリ」の入賞を成立させることができる。
【０１１９】
また、図２８に示すベル入賞成立可能停止テーブルでは、左リール２についての「停止制御位置」のコードナンバーは、“００”，“０４”，“０９”，“１４”，“１７”である。また、中リール３についての「停止制御位置」のコードナンバーは、“０２”，“０６”，“１０”，“１３”，“１８”である。また、右リール４についての「停止制御位置」のコードナンバーは、“０２”，“０６”，“１０”，“１５”，“１９”である。これらは、いずれもシンボル「ベル」に対応するコードナンバーであり、このベル入賞成立可能停止テーブルが用いられると、必ず「ベルの小役」の入賞が成立する。
【０１２０】
また、図２９に示す全入賞役入賞不成立停止テーブルでは、左リール２および中リール３についての「停止制御位置」のコードナンバーは、ベル入賞成立可能停止テーブルと同じ値で、シンボル「ベル」に対応するものである。しかし、右リール４についての「停止制御位置」のコードナンバーは、シンボル「上チリ」に対応する“０３”，“０７”，“１６”と、シンボル「下チリ」に対応する“１１”と、シンボル「赤７」に対応する“２０”であり、この全入賞役入賞不成立停止テーブルが用いられた場合には必ず「ハズレ」となる。
【０１２１】
図３０は停止テーブル群選択テーブルを概念的に示す図である。
【０１２２】
停止テーブル群選択テーブルは、「高確率再遊技中一般遊技状態」において内部当選役として「グループ役」が抽選された場合に、停止テーブル群として、ベル入賞成立可能停止テーブル群（図２８参照）、または、全入賞役不成立停止テーブル群（図２９参照）のいずれかを選択する際に用いられる。停止テーブル群選択テーブルに表された各数値“３”，“１８”は、乱数発生器で発生する“０〜２０”の“２１”の乱数範囲のうち、各停止テーブル群が抽選される数値範囲を示す抽選値である。各停止テーブル群の抽選確率は、“２１”を分母とし、抽選値を分子とする数値で表される。
【０１２３】
次に、本実施形態によるパチスロ機の動作について説明する。
【０１２４】
本実施形態では、上記第１の実施形態と同様に、図１４〜図１９に示す遊技処理が行われる。しかし、図１５のステップ１１５の停止テーブル群選択処理において停止テーブル群を選択する条件が上記第１の実施形態の遊技処理と異なる。
【０１２５】
図３１は、本実施形態において、メイン制御基板６１のメインＣＰＵ６４によって制御される停止テーブル群選択処理の詳細を示すフローチャートである。
【０１２６】
停止テーブル群選択処理では、まず始めに、メインＣＰＵ６４は、遊技状態が高確率再遊技中一般遊技状態であるか否かを判別する（図３１，ステップ６０１参照）。遊技状態が高確率再遊技中一般遊技状態である場合には、確率抽選処理（図１５，ステップ１１３参照）で抽選された内部当選役が「グループ役」であるか否かを判別する（ステップ６０２）。抽選結果が「グループ役」である場合には、上記第１の実施形態と同様の抽選処理を行い（ステップ６０３〜ステップ６０６）、抽選結果に応じて、ベル入賞成立可能停止テーブル群（図２８参照）または全入賞役入賞不成立停止テーブル群（図２９参照）を選択し（ステップ６０７またはステップ６０８）、制御ＲＡＭ６６にセットする。ステップ６０１で高確率再遊技中一般遊技状態でないと判別した場合、またはステップ６０２で「グループ役」でないと判別した場合には、上記第１の実施形態と同様に、内部当選役および遊技状態に応じた停止テーブル群を選択して制御ＲＡＭ６６にセットし（ステップ６０９）、停止テーブル群選択処理を終了する。
【０１２７】
このように、本実施形態のパチスロ機１によっても、「通常確率再遊技中一般遊技状態」において「グループ役」内部当選役が図１５，ステップ１１３の確率抽選処理で抽選されると、図３１，ステップ６０９でデカチリ入賞成立可能テーブルが選択され、シンボル「上チリ」および「下チリ」が有効化入賞ライン上に引き込まれる所定のタイミングで、遊技者がストップボタン３１〜３３を操作した場合に限り、シンボル「上チリ」および「下チリ」の組み合わせが有効化入賞ライン上に停止表示し、「デカチリの小役」の入賞が成立する。一方、「高確率再遊技中一般遊技状態」において「グループ役」内部当選役が抽選されると、ベル入賞成立可能停止テーブル群または全入賞役入賞不成立停止テーブルのいずれかが図３１，ステップ６０５で抽選で選択される。図３１，ステップ６０７でベル入賞成立可能停止テーブル群が選択されると、遊技者によるストップボタン３１〜３３の操作タイミングに関わらず、必ず「ベルの小役」の入賞が成立し、図３１，ステップ６０８で全入賞役入賞不成立停止テーブルが選択されると、いずれの内部当選役の入賞も成立させることができない。
【０１２８】
つまり、「通常確率再遊技中一般遊技状態」において、内部当選役として「グループ役」が抽選された場合、遊技者が、シンボル「上チリ」または「下チリ」を狙ってストップボタン３１〜３３を操作して「グループ役」の入賞を成立させる必要があるため、メダルの獲得枚数に遊技者の技量がより反映される。また、「通常確率再遊技中一般遊技状態」と「高確率再遊技中一般遊技状態」とで、「グループ役」を成立させるシンボルの種類とストップボタン３１〜３３の操作タイミングとが異なるため、遊技に多様性を持たせて遊技の興趣を高められる。また、「通常確率再遊技中一般遊技状態」と「高確率再遊技中一般遊技状態」とで「期待値」がほぼ等しいため、これら各遊技状態で遊技者が得られる配当量の期待をほぼ等しくすることができる。このため、本実施形態によっても、上記第１の実施形態と同様の作用効果を得ることができる。
【０１２９】
なお、上記各実施形態の説明では、「グループ役」を構成する一方の内部当選役（第１の実施形態ではスイカ、第２の実施形態ではデカチリ）が抽選された場合には、目押しが必要とされる１つの停止テーブル群（第１の実施形態ではスイカ入賞成立可能停止テーブル群、第２の実施形態ではデカチリ入賞成立可能停止テーブル群）のみを用いてリール２〜４の停止制御を行った。しかし、「グループ役」を構成する各内部当選役の「期待値」がほぼ同じ値になるように、互いに異なる値の「引き込み率」が設定された２種類の停止テーブルを用意し、上記一方の内部当選役が抽選された場合には、２種類のうちの何れかのテーブルを抽選で選択して使用するようにしてもよい。例えば、上記第１の実施形態においては、スイカ入賞成立可能停止テーブル群として、「引き込み率」が“２３１５／９２６１”の停止テーブル群Ａと、「引き込み率」が“２３０５／９２６１”の停止テーブル群Ｂとを設け、“１／２”の確率で何れかのテーブルを抽選で選択してもよい。この場合には、「スイカの小役」全体としての「引き込み率」の値（（２３１５／９２６１＋２３０５／９２６１）×１／２）が、上記第１の実施形態で用いたスイカ入賞成立可能停止テーブル群の値（２３１０／９２６１）と等しくなり、「グループ役」を構成する「ベルの小役」と「スイカの小役」との各「期待値」をほぼ等しくすることができる。この構成によっても、メダルの獲得枚数に遊技者の技量を反映させることができ、しかも高確率再遊技中一般遊技状態と通常確率再遊技中一般遊技状態とで、「グループ役」の入賞を成立させるシンボルの種類とストップボタン３１〜３３の操作タイミングとが異なるため、遊技に多様性を持たせて遊技の興趣をさらに高められる。
【０１３０】
また、上記第１の実施形態では、「スイカの小役」の配当数（１４枚）が「ベルの小役」の配当数（７枚）の２倍の値に設定されていたが、両内部当選役の「期待値」がほぼ等しい値であれば、各内部当選役の配当数は任意であり、適宜変更して差し支えない。例えば、「スイカの小役」と「ベルの小役」の配当数を同じ値とし、停止テーブル群選択処理（図２０参照）でベル入賞成立可能停止テーブル群が選択される確率（４６２０／９２６１）を、スイカ入賞可能停止テーブル群の「引き込み率」（２３１０／９２６１）とほぼ同じ値になるように設定してもよい。また、上記第２の実施形態では、「デカチリの小役」の配当数（６枚）が「ベルの小役」の配当数（６枚）と等しい値に設定されていたが、両内部当選役の「期待値」がほぼ等しい値であれば、各内部当選役の配当数は任意であり、適宜変更して差し支えない。
【０１３１】
また、上記各実施形態では、「通常確率再遊技中一般遊技状態」と「高確率再遊技中一般遊技状態」とで、再遊技入賞成立可能停止テーブル群の「引き込み率」を同じ値（９２６１／９２６１）に設定し、内部当選役として「リプレイ」が抽選されると、必ず「リプレイ」の入賞が成立する構成とした。しかしながら、通常確率再遊技中一般遊技状態では、高確率再遊技中一般遊技状態で選択されるものと「引き込み率」が異なる停止テーブル群を用い、各遊技状態における内部当選役の「リプレイ」の抽選値を調整して、通常確率再遊技中一般遊技状態と高確率再遊技中一般遊技状態とで、「リプレイ」の入賞が成立する確率が等しくなるようにしてもよい。
【０１３２】
また、上記各実施形態では、全てのゲームにおいて「高確率再遊技中一般遊技状態」の発生または終了の抽選を行った。しかしながら、必ずしも全てのゲームにおいてこれらの抽選を行う必要はなく、例えば、特定の内部当選役が抽選又は入賞するとこれらの抽選を行うようにしてもよい。また、上記各実施の形態では、テーブルを用いた抽選によって「高確率再遊技中一般遊技状態」を発生または終了させた。しかし、「高確率再遊技中一般遊技状態」の発生条件および終了条件は任意であり、例えば、規定ゲーム数が消化されることによって「高確率再遊技中一般遊技状態」を終了させてもよい。また、各内部当選役の抽選確率も、「通常確率再遊技中一般遊技状態」と「高確率再遊技中一般遊技状態」とでの「期待値」をほぼ等しい値に保つことができるのであれば任意である。例えば、「高確率再遊技中一般遊技状態」での「リプレイ」の抽選確率は、「通常確率再遊技中一般遊技状態」での「リプレイ」の抽選確率よりも高い値であれば任意であり、適宜変更して差し支えない。また、「グループ役」を構成する小役の組み合わせは任意であり、左，中，右の各リール２〜４のシンボル列に表されたシンボルの種類等に応じて適宜変更して差し支えない。また、上記各実施形態では、変動表示手段として外周にシンボル列が表されたリール２〜４を用いた場合について説明した。しかし、変動表示手段として液晶表示装置等の画像表示装置を用いてもよい。
【０１３３】
また、上記第１実施形態では、「高確率再遊技中一般遊技状態」で「グループ役」が内部当選したときには、所定のタイミングでストップボタン３１〜３３が操作されると、「スイカの小役」の入賞が成立するものとした。また、上記第２実施形態では、「通常確率再遊技中一般遊技状態」で「グループ役」が内部当選したときには、所定のタイミングでストップボタン３１〜３３が操作されると、「デカチリの小役」の入賞が成立するものとした。しかし、例えば、所定の押し順でストップボタン３１〜３３が操作されると、必ず「スイカの小役」または「デカチリの小役」といった所定の小役の入賞が成立するようにしてもよい。この場合、「通常確率再遊技中一般遊技状態」と「高確率再遊技中一般遊技状態」とで、少なくとも「グループ役」についての「期待値」を略同一とすることが好ましい。また、所定の条件が成立すると、前述した所定の押し順を報知し、いわゆる取りこぼしを排除するようにしてもよい。これにより、遊技者は目押しを必要とすることなく、「スイカの小役」または「デカチリの小役」といった所定の小役の入賞を成立させることができる。
【０１３４】
また、上記第１実施形態では、「通常確率再遊技中一般遊技状態」で「グループ役」が内部当選すると、ベル入賞成立可能停止テーブル群または全入賞役入賞不成立停止テーブル群を抽選で選択し、「高確率再遊技中一般遊技状態」で「グループ役」が内部当選すると、スイカ入賞成立可能停止テーブル群を選択した場合について説明した。しかし、これら各遊技状態で「グループ役」が内部当選すると、ベル入賞成立可能停止テーブル群またはスイカ入賞成立可能停止テーブル群を抽選で選択するように構成してもよい。また、上記第２実施形態では、「通常確率再遊技中一般遊技状態」で「グループ役」が内部当選すると、デカチリ入賞成立可能停止テーブル群を選択し、「高確率再遊技中一般遊技状態」で「グループ役」が内部当選すると、ベル入賞成立可能停止テーブル群または全入賞役入賞不成立停止テーブル群を抽選で選択した場合について説明した。しかし、これら各遊技状態で「グループ役」が内部当選すると、ベル入賞成立可能停止テーブル群またはデカチリ入賞成立可能停止テーブル群を抽選で選択するように構成してもよい。例えば、上記第１実施形態では、「通常確率再遊技中一般遊技状態」または「高確率再遊技中一般遊技状態」で「グループ役」が内部当選すると、ベル入賞成立可能停止テーブル群またはスイカ入賞成立可能停止テーブル群を抽選で選択し、「通常確率再遊技中一般遊技状態」ではベル入賞成立可能停止テーブル群の抽選確率をスイカ入賞成立可能停止テーブル群の抽選確率より高い値または等しい値とし、「高確率再遊技中一般遊技状態」ではベル入賞成立可能停止テーブル群の抽選確率をスイカ入賞成立可能停止テーブル群の抽選確率より低い値または等しい値としてもよい。この構成によれば、「通常確率再遊技中一般遊技状態」と「高確率再遊技中一般遊技状態」とのいずれでも、スイカ入賞成立可能停止テーブル群が用いられることがあり、「スイカの小役」に対応するシンボル組み合わせを狙ってストップボタン１３〜３３を操作する機会が増えるため、遊技媒体の獲得数に遊技者の技量をより反映させることができる。
【０１３５】
また、上記実施の形態では、「高確率再遊技中一般遊技状態」を１種類のみ設けた場合について説明した。しかし、例えば、終了条件の異なる複数種類の「高確率再遊技中一般遊技状態」を設けて、各「高確率再遊技中一般遊技状態」の継続間隔を異ならせ、相対的に長い間継続する「高確率再遊技中一般遊技状態」と、相対的に短い間継続する「高確率再遊技中一般遊技状態」とが生じるようにしてもよい。また、開始条件の異なる複数種類の「高確率再遊技中一般遊技状態」を設けてもよい。その他、ＢＢが内部当選していないゲーム数が所定のゲーム数に達すると、遊技者に有利な特典遊技に遊技状態を移行するパチスロ機では、特典遊技に移行する条件となる上記の所定のゲーム数、いわゆる天井の設定条件や、それぞれの間での移行条件が異なる複数種類の「高確率再遊技中一般遊技状態」を設けてもよい。このような構成によれば、遊技者に有利な状態（または不利な状態）が続く期間に差を設けることができ、遊技の面白みが向上する。
【０１３６】
また、上記実施の形態では、ベル入賞成立可能停止テーブル群が選択された場合には、ストップボタン３１〜３３の操作タイミングや操作順序に関わらず、必ずベルの入賞が成立するものとしたが、ストップボタン３１〜３３の操作タイミングや操作順序によっては「ベルの小役」の入賞が成立しないようにして取りこぼしが発生する箇所を設け、若干の技術介入性を持たせてもよい。
【産業上の利用可能性】
【０１３７】
上記実施形態においては、本発明による遊技機をパチスロ機に適用した場合について説明したが、遊技者の停止操作に応じてリールの変動表示を停止させるパチンコ機といった弾球遊技機に本発明を適用することも可能である。このような遊技機に本発明を適用した場合においても上記実施形態と同様な作用効果が奏される。
【図面の簡単な説明】
【０１３８】
【図１】本発明の第１の実施形態によるパチスロ機の外観を示す正面図である。
【図２】本発明の第１の実施形態によるパチスロ機の各リールに表されたシンボル列を示す図である。
【図３】本発明の第１の実施形態によるパチスロ機の各遊技状態における入賞シンボル組合せに対応する役および払い出し枚数を示す図である。
【図４】本発明の第１の実施形態によるパチスロ機のメイン制御基板の回路構成を示すブロック図である。
【図５】本発明の第１の実施形態によるパチスロ機のサブ制御基板の回路構成を示すブロック図である。
【図６】本発明の第１の実施形態に用いられる確率抽選テーブルを概念的に示す図である。
【図７】本発明の第１の実施形態に用いられる高確率再遊技開始抽選テーブルを概念的に示す図である。
【図８】本発明の第１の実施形態に用いられる高確率再遊技終了抽選テーブルを概念的に示す図である。
【図９】本発明の第１の実施形態における遊技状態と、内部当選役と、選択される停止テーブル群との関係を示す図である。
【図１０】本発明の第１の実施形態に用いられるベル入賞成立可能停止テーブルを概念的に示す図である。
【図１１】本発明の第１の実施形態に用いられる全入賞役入賞不成立停止テーブルを概念的に示す図である。
【図１２】本発明の第１の実施形態に用いられるスイカ入賞成立可能停止テーブルを概念的に示す図である。
【図１３】本発明の第１の実施形態に用いられる停止テーブル群選択テーブルを概念的に示す図である。
【図１４】本発明の第１の実施形態によるパチスロ機のメインＣＰＵによる遊技処理の概略を示す第１のフローチャートである。
【図１５】本発明の第１の実施形態によるパチスロ機のメインＣＰＵによる遊技処理の概略を示す第２のフローチャートである。
【図１６】本発明の第１の実施形態によるパチスロ機のメインＣＰＵによる遊技処理の概略を示す第３のフローチャートである。
【図１７】図１５に示す遊技状態監視処理の詳細を示すフローチャートである。
【図１８】図１５に示す確率抽選処理の詳細を示すフローチャートである。
【図１９】図１５に示す高確率再遊技制御処理の詳細を示すフローチャートである。
【図２０】図１５に示す停止テーブル群選択処理の詳細を示すフローチャートである。
【図２１】本発明の第２の実施形態によるパチスロ機の各リールに表されたシンボル列を示す図である。
【図２２】本発明の第２の実施形態によるパチスロ機の各遊技状態における入賞シンボル組合せに対応する役および払い出し枚数を示す図である。
【図２３】本発明の第２の実施形態に用いられる確率抽選テーブルを概念的に示す図である。
【図２４】本発明の第２の実施形態に用いられる高確率再遊技開始抽選テーブルを概念的に示す図である。
【図２５】本発明の第２の実施形態に用いられる高確率再遊技終了抽選テーブルを概念的に示す図である。
【図２６】本発明の第２の実施形態における遊技状態と、内部当選役と、選択される停止テーブル群との関係を示す図である。
【図２７】本発明の第２の実施形態に用いられるデカチリ入賞成立可能停止テーブルを概念的に示す図である。
【図２８】本発明の第２の実施形態に用いられるベル入賞成立可能停止テーブルを概念的に示す図である。
【図２９】本発明の第２の実施形態に用いられる全入賞役入賞不成立停止テーブルを概念的に示す図である。
【図３０】本発明の第２の実施形態に用いられる停止テーブル群選択テーブルを概念的に示す図である。
【図３１】本発明の第２の実施形態によるパチスロ機のメインＣＰＵによる停止テーブル群選択処理の詳細を示すフローチャートである。
【符号の説明】
【０１３９】
１…パチスロ機
２，３，４…リール
２２…液晶表示装置
３０…スタートレバー
３１，３２，３３…ストップボタン
６１…メイン制御基板
６２…サブ制御基板
６３…マイコン（マイクロコンピュータ）
６４…メインＣＰＵ（中央演算処理装置）
６５…プログラムＲＯＭ（リード・オンリ・メモリ）
６６…制御ＲＡＭ（ランダム・アクセス・メモリ）
【図１】
2005102956.tif 000003
【図２】
2005102956.tif 000004
【図３】
2005102956.tif 000005
【図４】
2005102956.tif 000006
【図５】
2005102956.tif 000007
【図６】
2005102956.tif 000008
【図７】
2005102956.tif 000009
【図８】
2005102956.tif 000010
【図９】
2005102956.tif 000011
【図１０】
2005102956.tif 000012
【図１１】
2005102956.tif 000013
【図１２】
2005102956.tif 000014
【図１３】
2005102956.tif 000015
【図１４】
2005102956.tif 000016
【図１５】
2005102956.tif 000017
【図１６】
2005102956.tif 000018
【図１７】
2005102956.tif 000019
【図１８】
2005102956.tif 000020
【図１９】
2005102956.tif 000021
【図２０】
2005102956.tif 000022
【図２１】
2005102956.tif 000023
【図２２】
2005102956.tif 000024
【図２３】
2005102956.tif 000025
【図２４】
2005102956.tif 000026
【図２５】
2005102956.tif 000027
【図２６】
2005102956.tif 000028
【図２７】
2005102956.tif 000029
【図２８】
2005102956.tif 000030
【図２９】
2005102956.tif 000031
【図３０】
2005102956.tif 000032
【図３１】
2005102956.tif 000033